【手続補正書】
【提出日】平成30年2月22日(2018.2.22)
【手続補正１】
【補正対象書類名】特許請求の範囲
【補正対象項目名】全文
【補正方法】変更
【補正の内容】
【特許請求の範囲】
【請求項１】
装置本体に装着可能に設けられ、シートを収納するシート収納部と、
前記シート収納部が装着される第１の方向と直交する第２の方向に前記シート収納部からシートを給送するシート給送部と、
前記装置本体に設けられた第１ガイド部と、前記シート収納部に設けられた第２ガイド部であって、前記シート収納部が前記装置本体に装着されている状態において前記第１の方向に前記第１ガイド部に並んで配置される第２ガイド部とを備え、前記シート給送部によりシート給送方向に給送されるシートをガイドする搬送ガイドと、前記第１ガイド部の前記第１の方向の上流側の端部に設けられる端部ガイド部であって、シートが当接した際の反力から上方への方向成分の分力と、前記第２の方向と反対方向の方向成分の分力とが生じるように形成されているガイド面を有する端部ガイド部と、
を有することを特徴とするシート給送装置。
【請求項２】
前記ガイド面は、円錐面の一部で形成されていることを特徴とする請求項１に記載のシート給送装置。
【請求項３】
前記円錐面の基となる仮想円錐は、頂点が前記シート給送部の最下点の近傍で、かつ、前記第２の方向に対して前記最下点よりも上流に位置し、前記仮想円錐の円錐面が、前記第１ガイド部及び第２ガイド部のシートを案内するガイド面の延長面よりも上方に突出しないよう配置されていることを特徴とする請求項２に記載のシート給送装置。
【請求項４】
前記ガイド面は、シートが当接したときの反力の上方へ向かう方向成分の分力を生じさせる平坦な第一の面と、前記第２の方向と反対方向へ向かう方向成分の分力を生じさせる平坦な第二の面と、前記第一の面と前記第二の面とに接続され、シートが当接したときの反力の上方へ向かう方向成分の分力と前記第２の方向と反対方向に向かう方向成分の分力とを生じさせる平坦な第三の面と、を有する複数の面で構成されていることを特徴とする請求項１のシート給送装置。
【請求項５】
前記第１ガイド部と第２ガイド部とは、シートを案内するガイド面が略同じ形状で形成されており、前記シート収納部が前記装置本体に装着されている状態において、第１ガイド部と第２ガイド部とにより略同一のガイド面を形成することを特徴とする請求項１乃至請求項４のいずれか１項に記載のシート給送装置。
【請求項６】
前記装置本体に設けられた第１ガイド部は、前記シート収納部の前記第１の方向の奥側からシートの搬送領域の略中央まで延設されており、前記第１ガイド部の中央側端部に前記端部ガイド部が設けられていることを特徴とする請求項５に記載のシート給送装置。
【請求項７】
前記シート収納部には、前記シート収納部が前記装置本体に装着されている状態で、前記第１ガイド部に対向する部分に切欠き部が形成されていることを特徴とする請求項１乃至請求項６のいずれか１項に記載のシート給送装置。
【請求項８】
前記シート収納部が前記装置本体に装着されている状態において、前記シート給送部は、前記第１ガイド部に対向することを特徴とする請求項１乃至請求項７のいずれか１項に記載のシート給送装置。
【請求項９】
装置本体に装着可能に設けられ、シートを収納するシート収納部と、
前記シート収納部が装着される第１の方向と直交する第２の方向に前記シート収納部からシートを給送するシート給送部と、
前記装置本体に設けられた第１ガイド部と、前記シート収納部に設けられた第２ガイド部であって、前記シート収納部が前記装置本体に装着されている状態において前記第１の方向に前記第１ガイド部に並んで配置される第２ガイド部とを備え、前記シート給送部によりシート給送方向に給送されるシートをガイドする搬送ガイドと、
前記第１ガイド部の前記第１の方向の上流側の端部に設けられる端部ガイド部であって、前記シート収納部からシートの一部が部分的に突出した状態で、前記シート収納部を前記装置本体に装着する途中で、シートの突出した部分が当接可能な端部ガイド部と、
前記端部ガイド部に設けられ、シートの突出している部分のすくい上げと前記シート給送方向と反対方向の移動を同時期若しくは連続的に行わせるガイド面と
を有することを特徴とするシート給送装置。
【請求項１０】
前記ガイド面は、円錐面の一部で形成されていることを特徴とする請求項９に記載のシート給送装置。
【請求項１１】
前記ガイド面は、異なる傾斜角度及び異なる傾斜方向の複数の平面を組み合わせて構成されていることを特徴とする請求項９のシート給送装置。
【請求項１２】
前記シート収納部には、前記シート収納部が前記装置本体に装着されている状態で、前記第１ガイド部に対向する部分に切欠き部が形成されていることを特徴とする請求項９乃至請求項１１のいずれか１項に記載のシート給送装置。
【請求項１３】
前記シート収納部が前記装置本体に装着されている状態において、前記シート給送部は、前記第１ガイド部に対向することを特徴とする請求項９乃至請求項１２のいずれか１項に記載のシート給送装置。
【請求項１４】
請求項１乃至請求項１３に記載のシート給送装置と、
前記シート給送装置から給送されたシートに画像を形成する画像形成部と、
を備えたことを特徴とする画像形成装置。
【手続補正２】
【補正対象書類名】明細書
【補正対象項目名】００１１
【補正方法】変更
【補正の内容】
【００１１】
上記課題を解決するためのシート給送装置は、装置本体に装着可能に設けられ、シートを収納するシート収納部と、
前記シート収納部が装着される第１の方向と直交する第２の方向に前記シート収納部からシートを給送するシート給送部と、
前記装置本体に設けられた第１ガイド部と、前記シート収納部に設けられた第２ガイド部であって、前記シート収納部が前記装置本体に装着されている状態において前記第１の方向に前記第１ガイド部に並んで配置される第２ガイド部とを備え、前記シート給送部によりシート給送方向に給送されるシートをガイドする搬送ガイドと、前記第１ガイド部の前記第１の方向の上流側の端部に設けられる端部ガイド部であって、シートが当接した際の反力から上方への方向成分の分力と、前記第２の方向と反対方向の方向成分の分力とが生じるように形成されているガイド面を有する端部ガイド部と、
を有することを特徴とする。
【手続補正３】
【補正対象書類名】明細書
【補正対象項目名】００２１
【補正方法】変更
【補正の内容】
【００２１】
シート収納庫５は、シートＳを送り出す方向であるシート給送方向Ｘ（第２の方向）と直交する幅方向Ｙに、装置本体１０２に対して装着可能及び引出し可能となっている。シート収納庫５が装置本体１０２に装着される方向を第１の方向とする。また、シート収納庫５におけるシート給送方向Ｘの下流側端部に、積載されているシート束の先端の位置を規制するための前壁面部６が設けられている。また、シート収納庫５のシート給送方向Ｘの下流には、シート給送部４により送り出されたシートを案内する搬送ガイド７が設けられる。
【手続補正４】
【補正対象書類名】明細書
【補正対象項目名】００２２
【補正方法】変更
【補正の内容】
【００２２】
搬送ガイド７は、シート収納庫５の幅方向Ｙの全域に設けられている。この搬送ガイド７は、シート収納庫５の装着方向において、シート収納庫５の手前側に一体に設けられた第２ガイド部７１と、装置本体１０２の奥側に設けられた第１ガイド部７２とを有している。すなわち、搬送ガイド７は、シート収納庫５に設けられた第２ガイド部７１と、装置本体１０２に設けられた第１ガイド部７２との二つのガイド部により構成されている。第２ガイド部７１は、シート収納庫５が装置本体１０２に装着されている状態において、幅方向Ｙに第１ガイド部７２と並んで配置される。第１ガイド部７２は、シート収納庫５の装着方向の奥側から、ピックアップローラ１及び分離部５７の各ローラ２、３の手前側端部の近傍まで延設されており、第２ガイド部７１は、第１ガイド部７２よりも手前側に設けられている。
【手続補正５】
【補正対象書類名】明細書
【補正対象項目名】００３５
【補正方法】変更
【補正の内容】
【００３５】
シート給送部４の搬送ガイド７の端部に設けられている端部ガイド部１０には、シートＳの奥側の先端角部の引っ掛かりを防止するためのガイド面としての弧状斜面１０Ａが形成されている。端部ガイド部１０は、シート収納庫５の装着方向において第１ガイド部７２の上流側に設けられている。端部ガイド部１０に形成されている弧状斜面１０Ａはシート収納庫５の装着方向およびシート給送方向Ｘに対して弧状に傾斜した構成である。なお、端部ガイド部１０は、第１ガイド部７２に一体に形成されていてもよいし、ガイド面を有する別の部品を第１ガイド部７２に結合するようにして取り付けてもよい。
【手続補正６】
【補正対象書類名】明細書
【補正対象項目名】００３８
【補正方法】変更
【補正の内容】
【００３８】
図５に示すように、本実施形態１では、ガイド面としての弧状斜面１０Ａが形成されている。具体的には、弧状斜面１０Ａは円錐面を基本として形成されている。言い換えれば、この弧状斜面１０Ａは円錐面の元となる仮想円錐１０１の側面の一部を用いている。仮想円錐１０１は、頂点がフィードローラ２の最下点１３の近傍で、かつ、シート給送方向Ｘに対して最下点１３よりも上流に位置している。また、仮想円錐１０１の円錐面がニップガイド部材７４のシートを案内する面と滑らかに連結されている。さらに、仮想円錐１０１は、弧状斜面１０Ａを構成する円錐面が、第１ガイド部７２及び第２ガイド部７１のシートを案内するガイド面の延長面よりも上方に突出しないよう配置されている。頂点及び側面がこのような位置関係となるように仮想円錐１０１が配置されている。